(57)【要約】  【課題】  足裏のアーチを維持することで、足首の安定性を高め、足の疲れを少なくする。  【解決手段】  足裏部１３において足裏中央部から足指の付け根近傍にかけて配置される第一サポート部２１と、第一サポート部２１に連続して、足裏中央部から左右の踝付近にかけてＶ字状に分かれた後、踵の後ろ側で連結するように配置される第二サポート部２２と、足甲表から足首にかけての前面部に配置し、かつ、２箇所以上の指間で足表部１２と足裏部１３とを連結して指間係止部２０ａ〜２０ｄを形成し、第一サポート部２１と第二サポート部２２により指間係止部２０ａ〜２０ｄを踵側へ引っ張って、足裏の縦アーチＡと横アーチＢを形成することにより、土踏まずの扁平化を防ぐともに、第二サポート部２２と第三サポート部２３により踵から足首にかけて安定させる。  【選択図】  図１
2006348406.tif 000002
【特許請求の範囲】
【請求項１】
少なくとも、足甲表を覆う足表部と足甲裏を覆う足裏部とを筒状に連続させた足甲部と、
前記足甲部に連続させて足首周りを覆う筒状の足首部と、
２箇所以上の指間で前記足表部と前記足裏部とを連結して形成される指間係止部と、
前記足裏部で、足裏中央部から足指の付け根近傍にかけて、足の長さ方向の縦方向の配置した第一サポート部と、
前記第一サポート部に連続して、足裏中央部から左右の踝付近にかけてＶ字状に分かれた後、踵の後ろ側で連結した第二サポート部を備え、
前記第一、第二サポート部は他の部分よりも緊締力を大とし、
着用状態で、前記指間係止部が指股に係止されて、前記第一サポート部と第二サポート部により踵側へ引っ張られて、土踏まずの縦アーチおよび横アーチを形成する構成としていることを特徴とする足コンディショニングウエア。
【請求項２】
前記足甲表から足首にかけて配置すると共に左右踝付近で前記第二サポート部とＹ字状に連続した第三サポート部を備え、前記第一、第二サポート部と共に第三サポート部も他の部分よりも緊締力を大としている請求項１に記載の足コンディショニングウエア。
【請求項３】
つま先から踵までを覆うソックスタイプとし、全足指間で、前記足表部と前記足裏部とを直接縫着して前記指間係止部を形成している請求項１又は請求項２に記載の足コンディショニングウエア。
【請求項４】
全足指と踵を露出するサポータタイプとし、前記指間係止部は、足指間を通って足表部と足裏部とを連結する細幅のベルト部よりなる請求項１又は請求項２に記載の足コンディショニングウエア。
【請求項５】
つま先から踵までを覆うとともに、全足指を個別に覆う分離した５つの指袋を備えた指付きソックスタイプとしている請求項１又は請求項２に記載の足コンディショニングウエア。
【請求項６】
前記第一サポート部は、足裏中央部から各指股または各指の付け根にかけて配置される複数の縦方向の筋状緊締部を、指側から足裏中央部にかけて互いに漸次近接させながら配置してなる請求項１乃至請求項５のいずれか１項に記載の足コンディショニングウエア。
【請求項７】
前記第一サポート部は、足裏中央部から左右両端の前記指間係止部にかけて配置される1つの広幅の緊締部を、指側から足裏中央部にかけて漸次幅を狭めながら配置してなる請求項１乃至請求項５のいずれか１項に記載の足コンディショニングウエア。
【請求項８】
前記足甲部には、足甲表側から土踏まず部分にかけてバンド状に配置され、かつ、横方向（足の幅方向）の緊締力を大とする第四サポート部が設けられている請求項１乃至請求項７のいずれか1項に記載の足コンディショニングウエア。
【発明の詳細な説明】
【技術分野】
【０００１】
本発明は、靴下やサポータなどの足コンディショニングウエアに関し、足の状態を良好に保ち、足の疲れにくさと足首の安定性の向上を図るものに関する。
【背景技術】
【０００２】
健康で正常な足は、図１１（Ａ）（Ｂ）に示すように、縦アーチＡと横アーチＢがしっかりと形成され、足裏の土踏まずは、親指の付け根、小指の付け根、踵の３点を結ぶ三角ドームの天井のような形態となる。このドーム形状により、足の指で地面をしっかり蹴り前へ前進する駆動性と、体重を分散し衝撃を吸収する緩衝性が付与される。従って、足の疲れにくさと歩き易さには、前記ドーム形状を形成する縦アーチＡと横アーチＢの形成・維持が重要となり、逆に、土踏まずのドーム形状がくずれ、扁平化すると、歩き難く、疲れやすい状態となる。また、足の着地時のぐらつきも疲労や怪我の原因となるため、着地に大きな影響を与える踵から足首にかけての安定性も重要となる。
【０００３】
これらの課題を解決するために、サポータやテーピングを使うことが考えられるが、外観等の問題から必ずしも好まれない。また、靴のクッション機能を利用することも考えられるが、靴は用途により多種多様であり、クッション機能だけに注視して靴を選ぶことにも限界がある。
【０００４】
一方で、従来より、特殊な機能が付与された様々な靴下やサポータが提案されている。例えば、実開平８−１５６号（特許文献１）では、図１２に示すように、靴下１の、つま先に近い横中足靭帯と中足関節にあたる部分に締め付けの強い中足関節固定保持部２を形成することが提案され、これにより、足の横アーチが復元され、外反した親指なども正常な位置に戻すことができるとしている。
【０００５】
また、実開平７−３３９１３号（特許文献２）では、図１３に示すように、足甲を被覆するサポータ本体５の先端開口に、各足指の股部に接触可能な指間ベルト６を設けると共に、該サポータ本体５の足裏面に皮膚押圧用突子７を備えることが提案され、皮膚押圧用突子７により、体重に比例した足裏刺激による健康増進を図ることができるとしている。  さらに、前記指間ベルト６の内面に薬剤パッドを着脱自在に設けることにより、水虫薬を足指間に定常的に供給することも提案されている。
【０００６】
しかしながら、いずれの従来例も、縦アーチＡと横アーチＢによる土踏まずのドーム形状の形成に着目したものではないうえ、足首の安定性向上も考慮されていず、足の疲れにくさや歩きやすさを向上させるものではない。
【０００７】
【特許文献１】実開平８―１５６号公報
【特許文献２】実開平７−３３９１３号公報
【発明の開示】
【発明が解決しようとする課題】
【０００８】
本発明は前記問題に鑑みてなされたもので、着用するだけで、足の縦アーチと横アーチが同時に形成され、足裏のドーム形状を維持でき、かつ、踵から足首にかけての安定性を高めることができ、歩き易さと疲れ難さを向上させることができる足コンディショニングウエアの提供を課題としている。
【課題を解決するための手段】
【０００９】
前記課題を解決するために、本発明は、少なくとも、
足甲表を覆う足表部と足甲裏を覆う足裏部とを筒状に連続させた足甲部と、  前記足甲部に連続させて足首周りを覆う筒状の足首部と、
２箇所以上の指間で前記足表部と前記足裏部とを連結して形成される指間係止部と、
前記足裏部で、足裏中央部から足指の付け根近傍にかけて、足の長さ方向の縦方向の配置した第一サポート部と、
前記第一サポート部に連続して、足裏中央部から左右の踝付近にかけてＶ字状に分かれた後、踵の後ろ側で連結した第二サポート部を備え、
前記第一、第二サポート部は他の部分よりも緊締力を大とし、
着用状態で、前記指間係止部が指股に係止されて、前記第一サポート部と第二サポート部により踵側へ引っ張られて、土踏まずの縦アーチおよび横アーチを形成する構成としていることを特徴とする足コンディショニングウエアを提供している。
【００１０】
本発明の足コンディショニングウエアは、着用されたときに、第二サポート部が踵に引っ掛かる構造となっているうえ、該第二サポート部の緊締力が前記第一サポート部を介して前記指間係止部に効果的に伝わるため、該指間係止部は指股に係止された状態で踵側に引っ張られる。これにより、足指の付け根全体が踵側へと引き寄せられ、足裏の縦アーチを作ることができる。
【００１１】
また、第二サポート部は、足裏中央部から踵側に向ってＶ字状に開いているため、該第二サポート部に引っ張られる指間係止部および第一サポート部は、外側（小指側）の指間係止部が内側に引っ張られ、内側（親指側）の指間係止部も内側に引っ張られるＸ字型サポートラインが形成される。これにより、両端の指が互いに近づくように足裏中央部に向って引き寄せられ、横アーチが形成される。この横アーチと前記縦アーチが同時に形成されることにより、足裏には土踏まずを中心に三角ドームの天井のような形が形成、維持されるため、足の指で地面をしっかり蹴って前進する駆動性と、衝撃の吸収性とが長時間発揮され、歩き易く、疲れ難い状態を維持することができる。
【００１２】
さらに、前記足甲表から足首にかけて配置すると共に左右踝付近で前記第二サポート部とＹ字状に連続した第三サポート部を備え、前記第一、第二サポート部と共に第三サポート部も他の部分よりも緊締力を大としていることが好ましい。  
前記第三サポート部を設けると、第二サポート部と第三サポート部により、踝付近を中心にＹ字状のサポートラインが形成され、踝を中心とする足首および踵の安定性を高めることができるため、着地時の足首のぐらつきを軽減でき、これによっても疲れ難い状態を維持できる。
【００１３】
さらに、この足コンディショニングウエアを着用することにより、靴のクッション機能にかかわらず、歩き易く疲れ難い状態を維持できるため、クッション機能に制約されることなく靴を多様に選ぶことができる。
【００１４】
前記指間係止部は、全指間（４箇所）に設けることが好ましいが、２箇所や３箇所にのみ設ける場合は、少なくとも、親指と人差し指の間と、薬指と中指の２箇所には設けることが好ましい。これにより、最も外側と最も内側の指間に前記指間係止部が係止されるため、第一、第二サポート部に引っ張られたときに、横アーチを効果的に形成できる。
【００１５】
前記足甲部および足首部は、編地で形成しても、カットソー仕立てでもよい。各サポート部の形成方法には、編糸の太さや本数、あるいは編組織を変更するほか、伸縮性を有するストレッチテープ生地を重ねて縫着して、部分的に緊締力を強化する方法などがある。
【００１６】
前記足コンディショニングウエアは、つま先から踵までを覆うソックスタイプとし、全足指間で、前記足表部と前記足裏部とを直接縫着して前記指間係止部を形成している。
あるいは、つま先から踵までを覆うとともに、全足指を個別に覆う分離した５つの指袋を備えた指付きソックスタイプとしてもよい。
【００１７】
さらに、本発明の足コンディショニングウエアは、全足指と踵を露出するサポータタイプとし、前記指間係止部は、足指間を通って足表部と足裏部とを連結する細幅のベルト部としてもよい。
【００１８】
前記第一サポート部は、足裏中央部から各指股または各指の付け根にかけて配置される複数の縦方向の筋状緊締部を、指側から足裏中央部にかけて互いに漸次近接させながら配置することが好ましい。これにより、各筋状緊締部が互いに独立して個別に緊締力を発揮でき、第二サポート部との連動性もよくなり、Ｘ字型サポートラインを効果的に機能させることができる。
【００１９】
あるいは、前記第一サポート部は、足裏中央部から左右両端の前記指間係止部にかけて配置される1つの広幅の緊締部を、指側から足裏中央部にかけて漸次幅を狭めながら配置してもよい。このように指側から足裏中央部にかけて漸次幅を狭めることにより、第二サポート部に引っ張られたときにＸ字型サポートラインを形成しやすくなる。
【００２０】
前記足甲部には、足甲表側から土踏まず部分にかけてバンド状に配置され、かつ、横方向（足の幅方向）の緊締力を大とする第四サポート部を設けてもよい。
即ち、前記第一、第二サポート部は、指側と踵側とをＸ字型サポートラインで引き寄せあうことにより土踏まずをドーム形状とするものであり、そこに、土踏まずを直接締め付ける前記第四サポート部を加えることにより、土踏まずの扁平化を一層効果的に防ぐことができる。
【００２１】
なお、本発明は、靴下やサポータのほか、タイツやストッキングにも適用できる。
【発明の効果】
【００２２】
上述したように、本発明によれば、この足コンディショニングウエアを着用するだけで、指間係止部と第一サポート部と第二サポート部とによるＸ字型サポートラインによって、足裏の縦アーチと横アーチが同時に形成され、土踏まずのドーム形状を形成、維持できるため、靴のクッション機能に頼ることなく、地面を蹴って前進する駆動性と、体重を分散して衝撃を吸収する緩衝性という足の機能を発揮させ、歩き易く疲れ難い状態を長時間維持することができる。
【００２３】
また、第二サポート部と第三サポート部によるＹ字型サポートラインにより、踝を中心に踵から足首にかけての安定性が高まるため、着地時の足首のぐらつきが軽減され、怪我を防止し、疲労を軽減することができる。
【発明を実施するための最良の形態】
【００２４】
以下、本発明の実施形態を図面を参照して説明する。
図１乃至図３は本発明の第一実施形態に係るソックス１０−１を示す。
第一実施形態は、全体を編地で構成し、足甲表を覆う足表部１２と足甲裏を覆う足裏部１３とを筒状に連続させてなる足甲部１１と、該足甲部１１に連続して足首周りを筒状に被覆する足首部１４と、該足甲部１１の指側先端全周に連続してつま先を覆う袋状のつま先部１５と、前記足甲部１１および前記足首部１４に連続して踵を覆う踵部１６とを備えている。足首部１４の上端開口縁は、二重に折り返して伸縮性を有する口ゴム部１７を形成している。
【００２５】
前記足甲部１１の指側先端部１１ａは、図１（Ａ）（Ｂ）に示すように、各足指の付け根から、親指については第一間接付近まで、他の四指については第二関節付近までを覆う位置まで延在し、各指間に相当する位置で、図３にも示すように、足表部１２と足裏部１３とを縫着して、４つの指間仕切り部１９ａ〜１９ｄを形成している。これら指間仕切り部１９ａ〜１９ｄの指股側端部を後述の指間係止部２０ａ〜２０ｄとしている。
【００２６】
前記足裏部１３には、緊締力が大きい第一サポート部２１を形成している。該第一サポート部２１は、前記指間係止部２０ａ〜２０ｄにそれぞれ連続して足裏中央部にかけて配置される４本の筋状緊締部２１ａ〜２１ｄより構成している。
詳しくは、４本の筋状緊締部２１ａ〜２１ｄは、各指間から足裏中央部Ｐ１に向けて、互いの間隔が漸次近接するように縦方向（足の長さ方向）に配置し、縦方向の緊締力を大としている。
【００２７】
前記足甲部１１から足首部１４にかけては、緊締力の大きい第二サポート部２２と第三サポート部２３を設けている。
第二サポート部２２は、第一サポート部２１に連続して、足裏中央部から左右の踝付近にかけてＶ字状に分かれた後、踵の後ろ側で連結し、踵周りを囲むように配置している。
第三サポート部２３は、足甲表から足首にかけての前面部に配置すると共に、左右踝付近で前記第二サポート部２２とＹ字状に連続している。
【００２８】
前記ソックス１０−１は、伸縮糸を用いた天竺編みで編成しているが、前記第一サポート部２１の各筋状緊締部２１ａ〜２１ｄでは、編み組織を緊締力の強いメッシュ編みに変えている。
前記第二サポート部２２、第三サポート部２３では、裏側にカットボスの手法によって糸を編み込むことによって、それぞれ緊締力を強化している。
また、踵部１６は、前記足甲部１１および前記足首部１４と連続一体に編成していると共に、つま先部１５は、足裏部１３を延長させて編成した後、延長部を足甲側へ折り返して指側先端部１１ａの周縁に縫着している。
【００２９】
前記構成のソックス１０−１は、足に着用されたときに、図１（Ａ）（Ｂ）（Ｃ）に示すように、第二サポート部２２が踵の後ろ側に引っ掛かると共に、該第二サポート部２２の緊締力が第一サポート部２１の各筋状緊締部２１ａ〜２１ｄを介して各指間係止部２０ａ〜２０ｄへ効率よく伝わり、該指間係止部２０ａ〜２０ｄを踵側へと引っ張る。このとき、指間係止部２０ａ〜２０ｄが、図２および図３に示すように、各指股に突き当たって係止され、その指股を踵側へと引き寄せることにより、足裏の縦アーチＡを形成することができる。
【００３０】
また、図１（Ａ）の矢印Ｘで示すように、筋状緊締部２１ａ〜２１ｄと第二サポート部２２とで形成されるＸ字型サポートラインにより、親指と人差し指の間の指股に係止された指間係止部２０ａは内側に、小指と薬指の間の指股に係止された指間係止部２０ｄも内側へとクロスして引っ張られる。これにより、図３に示すように、内側の指（親指）と外側の指（小指）とが近づけられ、横アーチＢも同時に形成される。
【００３１】
さらに、図１（Ｂ）の矢印Ｙに示すように、第二サポート部２２と第三サポート部２３とで形成されるＹ字型サポートラインにより、踵および足首の良好な角度を保つことができ、着地時の足首のぐらつきを軽減できる。
【００３２】
従って、このソックス１０−１を履くだけで、足裏の形状が、親指の付け根、小指の付け根、踵の３点を結ぶ三角ドームの天井のような形状となり、土踏まずの扁平化を防止できるうえ、踵から足首にかけての安定性も高まるため、歩き易く、疲れ難い状態を長時間維持することができる。また、従来のサポータよりも美観に優れるうえ、靴のクッション機能に頼る必要がないため、多種多様に靴を選び、着用することができる。
【００３３】
図４（Ａ）（Ｂ）は本発明の第二実施形態を示す。
本実施形態では、第一実施形態に係るソックス１０−１の第一サポート部２１〜第三サポート部２３に加え、足甲表から土踏まずにかけて連続するバンド状に配置される第四サポート部２４を設けている。
【００３４】
前記第四サポート部２４は、裏地にカットボス手法で糸を編み込むことで緊締力を大としている。また、第四サポート部２４は足を幅方向に一周するように設けられ、第一サポート部２１の筋状緊締部２１ａ〜２１ｄは第四サポート部２４に連続し、第二サポート部２２の緊締力は、第四サポート部２４および第一サポート部２１を介して、指間係止部２０ａ〜２０ｄに伝わる構造としている。
【００３５】
この第二実施形態は、前記第一サポート部２１および第二サポート部２２の機能に加え、前記第四サポート部２４により土踏まず部分を直接的に締め付けるため、土踏まずの偏平化をより効果的に防止できる。
【００３６】
図５（Ａ）（Ｂ）は第二実施形態の変形例１を示す。
第四サポート部２４’は、足甲表を中心に左右両端を足裏側に巻きつけ、土踏まずの一部を覆うように断面Ｃ字のバンド状に配置されている。この第四サポート部２４’は、横方向（足の幅方向）の緊締力を大とし、足裏部１３において、前記第一サポート部２１と連続せず、該第一サポート部２１は前記第二サポート部２２に連続させている。
このように、第四サポート部２４’の周方向の連続性が第一サポート部２１によって切断されても、足の中央部を全体的に締め付けることにより、土踏まずの扁平化を防止できる。
【００３７】
図６は第三実施形態を示す。
第一サポート部２１’は、足裏中央部から左右両端の指間係止部２０ａ、２０ｄにかけて配置される一つの幅広の緊締部で構成される。この第一サポート部２１’は、指側から足裏中央部にかけて、幅が漸次狭まるように形成され、足裏中央部で前記第二サポート部２２と連続している。これにより、該第一サポート部２１’と第二サポート部２２とで、縦アーチＡと横アーチＢとを同時形成するＸ字型サポートラインを形成することができる。
【００３８】
図７（Ａ）（Ｂ）は第四実施形態に係る指付きソックス１０−２を示す。
つま先部１５’は、各指を個別に覆う指袋１５ａ’〜１５ｅ’に分離され、隣接する各指袋１５ａ’〜１５ｅ’の結合部、即ち、各指袋１５ａ’〜１５ｅ’間の付け根の指股部を指間係止部２０ａ’〜２０ｄ’としている。
【００３９】
第四実施形態においても第一実施形態同様に、第一サポート部２１を構成する筋状緊締部２１ａ〜２１ｄは足裏中央部から各指股にかけて縦方向に配置されているため、踵に引っ掛かる第二サポート部２２の緊締力が該第一サポート部２１を介して前記指間係止部２０ａ’〜２０ｄ’に効率よく伝えられる。これにより、各指股に係止された指間係止部２０ａ’〜２０ｄ’が指の付け根全体を踵側へと引き寄せ、足裏の縦アーチＡと横アーチＢを形成することができる。
【００４０】
図８は第四実施形態の変形例１を示す。
第一サポート部２１”は、足裏中央部から各足指の付け根にかけて縦方向に配置された５本の筋状緊締部２１ａ”〜２１ｅ”で構成している。
本変形例においは、第二サポート部２２に引っ張られた各筋状緊締部２１ａ”〜２１ｅ”が、各指袋１５ａ’〜１５ｅ’を踵側へ引っ張ることにより、結果的に指間係止部２０ａ’〜２０ｄ’も踵側へ引っ張られて指股部に係止され、指の付け根全体を踵側へと引き寄せることができる。
【００４１】
図９（Ａ）（Ｂ）（Ｃ）および図１０（Ａ）（Ｂ）は第五実施形態を示し、全足指と踵を露出させて履くサポータ３０からなる。
前記第五実施形態のサポータ３０はは、布地を縫いあわせたカットソー仕立てで全体を形成している。
足甲表を覆う足表部３２と足甲裏を覆う足裏部３３とを筒状に連続させた足甲部３１と、該足甲部３１に足首前部で連続して足首周りを筒状に被覆する足首部３４とを備え、つま先側と踵側に開口部３５、３６を設けている。足首部３４の上端開口縁は、二重に折り返して伸縮性の強い口ゴム部３７を形成している。
【００４２】
前記足甲部３１の指側先端部３１ａの各指間に対応する位置には、図９（Ａ）に示すように、各指間を通って前記足表部３２と足裏部３３とを連結する４本のベルト状の指間係止部４０ａ〜４０ｄを縫着している。
【００４３】
また、前記足裏部３３には、図９（Ｂ）に示すように、足裏中央部にから各指間にかけて配置される４本の筋状緊締部４１ａ〜４１ｄで構成される第一サポート部４１が設けられている。詳しくは、４本の筋状緊締部４１ａ〜４１ｄは、各指間から足裏中央部に向けて、互いの間隔が漸次近接するように縦方向（足の長さ方向）に配置され、縦方向の緊締力を大としている。
【００４４】
前記足甲部３１から足首部３４にかけては、緊締力の大きい第二サポート部４２と第三サポート部４３を形成している。
第二サポート部４２は、前記第一サポート部４１に連続して、足裏中央部から左右の踝付近にかけてＶ字状に分かれた後、踵の後ろ側で連結し、踵周りを囲むように配置されている。
第三サポート部４３は、足甲表から足首にかけての前面部に配置すると共に、左右踝付近で前記第二サポート部４２とＹ字状に連続されている。
【００４５】
このサポータ３０は、まず、ツーウエイトリコットからなる生地をパターンに沿って裁断した後、足甲表から足首にかけての前側中心線Ｌ１と、足首後ろ側の中心線Ｌ２で縫着して本体部５０を構成し、前記第一サポート部４１、第二サポート部４２および第三サポート部４３については、該本体部５０に伸縮性を有するサテン調パワーネットからなる生地５１ａ〜５１ｄ、５２、５３を重ねて縫着して、部分的に緊締力を強化している。
【００４６】
特に、第一サポート部４１は、足裏中央部から指側にかけて４本の細幅伸縮ゴム５１ａ〜５１ｄを縫着して形成すると共に、図９（Ａ）（Ｂ）に示すように、これら細幅伸縮ゴム５１ａ〜５１ｄを指側先端部３１ａより前方に突出させた後、上向きに曲げ返して足表部３２に縫着することにより、第一サポート部４１と指間係止部４０ａ〜４０ｄとを縦方向に連続一体化させて形成している。
【００４７】
前記構成のサポータ３０は、指および踵を露出できるため通気性にすぐれ、特にスポーツ時などに好適である。また、踵の後ろ側に引っ掛かる第二サポート部４２に筋状緊締部４１ａ〜４１ｄが引っ張られ、該筋状緊締部４１ａ〜４１ｄと連続一体に形成されている指間係止部４０ａ〜４０ｄにも直接的に緊締力が伝わるため、縦アーチＡと横アーチＢを効果的に形成、維持することができる。
【００４８】
なお、本発明は前記実施形態、変形例に限定されるものではなく、タイツやストッキング等にも適用できる。また、前記指付きソックス１０−２およびサポータ３０においても、第二実施形態やその変形例１のように第四サポート部を形成してもよく、また、第三実施形態のように第一サポート部を広幅の一つの緊締部で構成してもよい。さらに、指間係止部は、親指側（内側）と小指側（外側）の２箇所にのみ形成してもよい。
【図面の簡単な説明】
【００４９】
【図１】本発明の第一実施形態に係るソックスを示し、（Ａ）は足裏側を示す下面図であり、（Ｂ）は斜視図であり、（Ｃ）は足首後ろ側を示す背面図である。
【図２】図１に示すソックスを着用した状態を側面から見た説明図である。
【図３】図１に示すソックスを着用した状態を正面から見た説明図である。
【図４】第二実施形態にかかるソックスを示し、（Ａ）は足裏側を示す下面図であり、（Ｂ）は斜視図である。
【図５】第二実施形態の変形例１を示し、（Ａ）は足裏側を示す下面図であり、（Ｂ）は斜視図である。
【図６】第三実施形態にかかるソックスを示す下面図である。
【図７】第四実施形態に係る指付きソックスを示し、（Ａ）は足裏側を示す下面図であり、（Ｂ）は斜視図であり。
【図８】第四実施形態の変形例１を示す下面図である。
【図９】第五実施形態に係るサポータを示し、（Ａ）は斜視図であり、（Ｂ）は足裏側を示す下面図であり、（Ｃ）は足首後ろ側を示す背面図である。
【図１０】図９に示すサポータの着用状態を示し、（Ａ）は足裏側からみた下面図であり、（Ｂ）は斜視図である。
【図１１】（Ａ）（Ｂ）は健康的な足のアーチの状態を示す図である。
【図１２】従来例の図である。
【図１３】他の従来例の図である。
【符号の説明】
【００５０】
１０−１  ソックス
１０−２  指付きソックス
１１、３１  足甲部
１２、３２  足表部
１３、３３  足裏部
１４、３４  足首部
２０ａ〜２０ｄ、２０ａ’〜２０ｄ’、４０ａ〜４０ｄ  指間係止部
２１、２１’、２１”、４１  第一サポート部
２２、４２  第二サポート部
２３、４３  第三サポート部
２４、２４’  第四サポート部
３０  サポータ
Ａ  縦アーチ
Ｂ  横アーチ
Ｘ  Ｘ字型サポートライン
Ｙ  Ｙ字型サポートライン
【図１】
2006348406.tif 000003
【図２】
2006348406.tif 000004
【図３】
2006348406.tif 000005
【図４】
2006348406.tif 000006
【図５】
2006348406.tif 000007
【図６】
2006348406.tif 000008
【図７】
2006348406.tif 000009
【図８】
2006348406.tif 000010
【図９】
2006348406.tif 000011
【図１０】
2006348406.tif 000012
【図１１】
2006348406.tif 000013
【図１２】
2006348406.tif 000014
【図１３】
2006348406.tif 000015